(57)【要約】【課題】製造コストの低減化を図ること。【解決手段】軸心回りに回転可能に配設されたキックローラ６４の外周面の一部が収納面６１ａより突出する収納壁部６１と、作用面６２ａが収納面６１ａに対向し、収納壁部６１に対して近接離反する態様でスライドすることで収納壁部６１との間に収納域６０ａを形成するスライド部材６２と、スライド部材６２を収納壁部６１に近接するよう付勢するスライド付勢部材６３とを備え、キックローラ６４を軸心回りに一方向に回転させることにより収納域６０ａに紙幣を収納し、キックローラ６４を軸心回りに他方向に回転させることにより収納された紙幣を搬送路４０に繰り出す紙幣処理装置の収納部６０において、スライド付勢部材６３は、キックローラ６４と同一の高さレベルに配置され、付勢力がキックローラ６４の軸心を通過する態様で設けられたバネ部材により構成されている。【選択図】図１８
2017102683.tif 000002
【特許請求の範囲】
【請求項１】
軸心回りに回転可能に配設されたキックローラの外周面の一部が自身の収納面より突出する態様で設けられた収納壁部と、
自身の作用面が前記収納面に対向し、かつ前記収納壁部に対して近接離反する態様でスライドすることで該収納壁部との間に収納域を形成するスライド部材と、
前記スライド部材を前記収納壁部に近接するよう付勢する付勢手段と
を備え、
前記キックローラを前記軸心回りに一方向に回転させることにより、前記収納域に搬送路を通じて搬送された紙幣を収納する一方、前記キックローラを前記軸心回りに他方向に回転させることにより、前記収納域に収納された紙幣を前記搬送路に繰り出す紙幣処理装置の収納構造において、
前記付勢手段は、前記キックローラと同一の高さレベルに配置され、かつ自身の付勢力が前記キックローラの軸心を通過する態様で設けられたバネ部材により構成されたことを特徴とする紙幣処理装置の収納構造。
【請求項２】
前記バネ部材は、前記収納面より突出する前記キックローラの外周面の一部に前記スライド部材を介在した状態で対向配置されたことを特徴とする請求項１に記載の紙幣処理装置の収納構造。
【発明の詳細な説明】
【技術分野】
【０００１】
本発明は、例えば紙幣釣銭機として適用される紙幣処理装置の収納構造に関するものである。
【背景技術】
【０００２】
従来、例えば紙幣釣銭機として適用される紙幣処理装置においては、装置本体に形成された入金口を通じて入金部に投入された紙幣を所定の搬送路に搬送させるようにし、搬送路を搬送される紙幣の真偽を鑑別手段にて鑑別している。
【０００３】
この紙葉類処理装置では、上記鑑別手段により「真」と鑑別された紙幣を搬送路から分離させて所定の紙幣収納部（収納構造）に収納している。また紙葉類処理装置では、出金指令が与えられた場合には、所定の紙幣収納部から送出された紙幣を、上記搬送路を通じて出金庫に搬送して装置本体より出金するようにしている（例えば、特許文献１参照）。
【先行技術文献】
【特許文献】
【０００４】
【特許文献１】特開２０１１−６５４１７号公報
【発明の概要】
【発明が解決しようとする課題】
【０００５】
上述した特許文献１には明示されていないが、紙幣収納部においては、収納壁部とスライド部材とを備えている。
【０００６】
収納壁部は、軸心回りに回転可能なキックローラが配設されている。このキックローラは、外周面の一部が該収納壁部の収納面より突出する態様で設けられている。
【０００７】
スライド部材は、自身の作用面が収納壁部の収納面に対向しており、この収納壁部に対して近接離反する態様でスライドすることで該収納壁部との間に収納域を形成するものである。このスライド部材は、いわゆるパンタグラフ構造を有するスライド機構により収納壁部に近接するよう付勢されている。
【０００８】
このような紙幣収納部では、キックローラを軸心回りに一方向に回転させることにより、収納域に搬送路を通じて搬送された紙幣を収納することができ、その一方、キックローラを軸心回りに他方向に回転させることにより、収納域に収納された紙幣を搬送路に繰り出すことができる。
【０００９】
ところで、上記紙幣収納部では、パンタグラフ構造を有するスライド機構にてスライド部材を付勢していたので、部品点数が増大し、結果的に製造コストの増大化を招来していた。
【００１０】
本発明は、上記実情に鑑みて、製造コストの低減化を図ることができる紙幣処理装置の収納構造を提供することを目的とする。
【課題を解決するための手段】
【００１１】
上記目的を達成するために、本発明に係る紙幣処理装置の収納構造は、軸心回りに回転可能に配設されたキックローラの外周面の一部が自身の収納面より突出する態様で設けられた収納壁部と、自身の作用面が前記収納面に対向し、かつ前記収納壁部に対して近接離反する態様でスライドすることで該収納壁部との間に収納域を形成するスライド部材と、前記スライド部材を前記収納壁部に近接するよう付勢する付勢手段とを備え、前記キックローラを前記軸心回りに一方向に回転させることにより、前記収納域に搬送路を通じて搬送された紙幣を収納する一方、前記キックローラを前記軸心回りに他方向に回転させることにより、前記収納域に収納された紙幣を前記搬送路に繰り出す紙幣処理装置の収納構造において、前記付勢手段は、前記キックローラと同一の高さレベルに配置され、かつ自身の付勢力が前記キックローラの軸心を通過する態様で設けられたバネ部材により構成されたことを特徴とする。
【００１２】
また本発明は、上記紙幣処理装置の収納構造において、前記バネ部材は、前記収納面より突出する前記キックローラの外周面の一部に前記スライド部材を介在した状態で対向配置されたことを特徴とする。
【発明の効果】
【００１３】
本発明によれば、付勢手段は、キックローラと同一の高さレベルに配置され、かつ自身の付勢力がキックローラの軸心を通過する態様で設けられたバネ部材により構成されているので、スライド部材に回転力等を作用させることなく付勢力をキックローラに対して作用させることができる。しかも従来のパンタグラフ構造に対して部品点数を低減させることができる。これにより、製造コストの低減化を図ることができるという効果を奏する。
【図面の簡単な説明】
【００１４】
【図１】図１は、本発明の実施の形態である収納構造が適用された紙幣処理装置を模式的に示す説明図である。
【図２】図２は、図１に示した装置本体の前端部を示す斜視図である。
【図３】図３は、図１に示した装置本体の前端部を示す断面側面図である。
【図４】図４は、ストッパ部材を示す斜視図である。
【図５】図５は、ストッパ部材を示す分解斜視図である。
【図６】図６は、図２に示した装置本体の前端部の要部を示す斜視図である。
【図７】図７は、入金部を構成するストッパ部材及び押圧部材を示す斜視図である。
【図８】図８は、押圧部材を示す斜視図である。
【図９】図９は、押圧部材を示す斜視図である。
【図１０】図１０は、押圧部材を示す分解斜視図である。
【図１１】図１１は、押圧部材を示す分解斜視図である。
【図１２】図１２は、装置本体の前端部を示す斜視図である。
【図１３】図１３は、図１２に示した装置本体の前端部を示す断面側面図である。
【図１４】図１４は、押圧部材が進出移動した場合の入金部の要部を示す斜視図である。
【図１５】図１５は、装置本体の前端部を示す斜視図である。
【図１６】図１６は、図１５に示した装置本体の前端部を示す断面側面図である。
【図１７】図１７は、ストッパ部材が退行移動した場合の入金部の要部を示す斜視図である。
【図１８】図１８は、前方から２番目の収納部を示す縦断面図である。
【図１９】図１９は、図１８に示した収納部の横断面図である。
【図２０】図２０は、前方から２番目の収納部を示す縦断面図である。
【発明を実施するための形態】
【００１５】
以下に添付図面を参照して、本発明に係る紙幣処理装置の収納構造の好適な実施の形態について詳細に説明する。
【００１６】
図１は、本発明の実施の形態である収納構造が適用された紙幣処理装置を模式的に示す説明図である。ここで例示する紙幣処理装置は、例えば釣銭機として適用されるものであり、装置本体１を備えている。
【００１７】
この装置本体１には、入金部（入金構造）１０、鑑別部（鑑別手段）５０、判別部５２、収納部（収納構造）６０及び出金部８０が設けてある。
【００１８】
入金部１０は、図２及び図３にも示すように、装置本体１の前端部に設けてあり、入金路１１、ストッパ部材２０及び押圧部材３０を備えて構成してある。
【００１９】
入金路１１は、装置本体１の前端部分に形成された入金口２に連通しており、該入金口２から離隔するに連れて、すなわち後方に向かうに連れて漸次下方に傾斜する態様で形成してある。この入金路１１の下流側には搬送路４０が設けてある。搬送路４０は、入金路１１を通過した紙幣を搬送するためのもので装置本体１の内部にて前後方向に沿って延在する。より詳細に説明すると、搬送路４０は、入金路１１に連続する部分から後方に向かうに連れて、すなわち入金部１０の出口から離隔するに連れて漸次上方に傾斜する傾斜路４０ａを有し、この傾斜路４０ａの後は、後方に向かって延在している。かかる搬送路４０は、図には明示しないが、搬送プーリに張設された搬送ベルトが変位することにより、紙幣を前方から後方に向けて搬送するとともに、紙幣を後方から前方に向けて搬送するものである。
【００２０】
図４及び図５は、それぞれストッパ部材２０を示すものであり、図４は斜視図、図５は分解斜視図である。これら図４及び図５に示すように、ストッパ部材２０は、例えば樹脂材等から構成されたもので、ストッパ基部２１及びストッパ片２２を有している。
【００２１】
ストッパ基部２１は、左右方向が長手方向となる長尺状部分であり、該長手方向に沿って貫通孔２１ａが形成されている。
【００２２】
ストッパ片２２は、ストッパ基部２１の左右両端部において後方に向けて突出する左右一対の腕部２３の後端部間を連結して設けてある。これらストッパ片２２は、それぞれ腕部２３よりも上方に突出している。
【００２３】
このようなストッパ部材２０においては、ストッパ基部２１とストッパ片２２との間に矩形状の開口部分２４が形成されるとともに、ストッパ片２２同士の間に開放部分２５が形成されており、これら開口部分２４と開放部分２５とで排出開口部を構成している。
【００２４】
上記ストッパ部材２０は、ストッパ基部２１に形成された貫通孔２１ａをストッパ軸部２６が貫通し、かつストッパ軸部２６の両端部が図６に示すように装置本体１に支持されることにより、ストッパ軸部２６の中心軸回りに揺動可能である。つまり、ストッパ部材２０は、入金路１１に対して進退移動する態様で揺動可能に設けてある。
【００２５】
このストッパ部材２０と装置本体１との間には、ストッパ軸部２６を巻回する態様で設けられたストッパスプリング２７が介在しており、ストッパ部材２０は、ストッパスプリング２７により入金路１１に進出移動するよう付勢されている。これにより、ストッパ部材２０は、常態においては、ストッパスプリング２７により、図２及び図７に示すように入金路１１に対して進出移動している。このストッパ部材２０による入金路１１への進出移動は、ストッパ軸部２６に挿通されたストッパ伝達部２８が図６に示すように装置本体１に設けられたストッパピン３に当接することにより、その移動量が規制されている。尚、ストッパ部材２０は、入金路１１に対して進出移動してその進出移動量が規制された場合、ストッパ片２２の上部と入金路１１の上壁部との間を紙幣が通過することを規制できるように、ストッパ片２２の上方への突出高さ等が調整されている。
【００２６】
ところで、ストッパ部材２０は、入金路１１に進出移動する場合、排出開口部２４，２５を通じて該入金路１１と排出路４とを連通している。ここで排出路４は、入金路１１に連通して設けてあり、例えば硬貨等の紙幣以外の異物を外部に排出するための路である。この排出路４を通過した異物は、装置本体１に設けられた受皿５に案内されることとなる。
【００２７】
図８〜図１１は、それぞれ押圧部材３０を示すものであり、図８及び図９は斜視図であり、図１０及び図１１は分解斜視図である。これら図８〜図１１に示すように、押圧部材３０は、左右一対となる態様で２つ設けてあり、それぞれ例えば樹脂材等から構成されたもので、押圧基部３１及び押圧端部３２を有している。
【００２８】
押圧基部３１は、左右方向に沿って延在する貫通孔３１ａが形成されている。押圧端部３２は、押圧基部３１に一体的に形成されており、貫通孔３１ａの径方向外部に向けて延在するよう設けてある。
【００２９】
このような押圧部材３０においては、押圧基部３１に形成された貫通孔３１ａを押圧軸部３３が貫通し、かつ押圧軸部３３の両端部が図６に示すよう装置本体１に支持されることにより、押圧軸部３３の中心軸回りに揺動可能に設けてある。つまり、押圧部材３０は、入金路１１に対して進退移動する態様で揺動可能に設けてある。
【００３０】
この押圧軸部３３には、それぞれの押圧部材３０の押圧基部３１に形成された切欠３１ｂに進入した固定部３４が一体的に連結してある。そして、押圧部材３０と固定部３４との間には、押圧軸部３３を巻回する態様で設けられた押圧スプリング３５が介在しており、押圧部材３０は、押圧スプリング３５により押圧端部３２が後方に向けて常時付勢されている。尚、押圧部材３０は、切欠３１ｂを形成する縁部に設けられた係止突起３１ｃが、対応する固定部３４に設けられた係止規制部３４ａに係止しており、押圧スプリング３５により後方への揺動が規制されている。
【００３１】
上記押圧軸部３３の右端部には、円板状の押圧伝達部３６が連結してある。この押圧伝達部３６は、外周面にギア部３６ａを有し、左面にカム部３６ｂを有している。押圧伝達部３６のギア部３６ａは、複数のギア部材からなる伝達機構３７を介してモータ３８の図示せぬ出力軸に連係している。モータ３８は、図示せぬ制御部から与えられる指令に応じて駆動する駆動源であり、出力軸を正逆回転させるものである。カム部３６ｂは、押圧伝達部３６の左面より左方に突出する態様で設けてあり、ストッパ伝達部２８に当接可能である。
【００３２】
以上のような構成を有する入金部１０では、待機状態においては、図２、図３及び図７に示すように、ストッパ部材２０が入金路１１に進出移動する一方、押圧部材３０が入金路１１から退行移動している。これにより、入金路１１と排出路４とが排出開口部２４，２５を通じて連通しており、ストッパ片２２の上部が入金路１１の上壁部に近接している。
【００３３】
かかる待機状態において入金口２から紙幣が入金されると、紙幣は、入金路１１を通過した後にストッパ片２２に当接して滞留する。このように入金口２より紙幣が入金された後に、利用者により図示せぬ入力手段が操作されて制御部から入金指令が与えられると、モータ３８が出力軸を正転回転させ、その動力が伝達機構３７を通じて押圧伝達部３６に伝達される。これにより、押圧伝達部３６は、右方から見て反時計回りに回転する。押圧伝達部３６が回転することにより、押圧軸部３３及びこの押圧軸部３３に連結される固定部３４が一体的に回転する。また、固定部３４の回転に伴って、押圧部材３０も押圧スプリング３５の付勢力により押圧軸部３３の中心軸回りに押圧端部３２が後方に向かうよう揺動し、これにより、押圧部材３０が入金路１１に対して進出移動する。
【００３４】
このように押圧部材３０が入金路１１に進出移動する結果、図１２〜図１４に示すように、ストッパ部材２０の排出開口部２４，２５を通過し、押圧端部３２が滞留する紙幣を送出ローラ１２に押圧する。ここで送出ローラ１２は、制御部から与えられる指令により駆動するものであり、駆動することで紙幣を１枚ずつ搬送路４０に送出するものである。
【００３５】
そして、モータ３８の駆動により押圧伝達部３６が更に同方向に回転すると、カム部３６ｂがストッパ伝達部２８の下端部に当接し、ストッパ伝達部２８を右方から見て時計回りに回転させる。これにより、ストッパ部材２０は、図１５〜図１７に示すように、ストッパスプリング２７の付勢力に抗して入金路１１から退行移動する。尚、押圧伝達部３６が更に同方向に回転することにより、押圧軸部３３も回転するために固定部３４も回転する。その一方、押圧部材３０は、紙幣を送出ローラ１２に押圧して入金路１１に対する進出移動が規制されている。この結果、押圧スプリング３５がねじられることで付勢力が増加し、押圧部材３０が送出ローラ１２に紙幣を押圧する力が増大する。
【００３６】
このようにして押圧伝達部３６がある程度回転した時点で制御部からの指令によりモータ３８が駆動停止することで押圧伝達部３６の回転が停止する。その後、制御部から指令が与えられた送出ローラ１２が駆動することで、紙幣を搬送路４０に１枚ずつ送出する。
【００３７】
このようにして滞留する紙幣をすべて搬送路４０に１枚ずつ送出して制御部からの指令により送出ローラ１２が駆動停止した後、モータ３８が制御部から与えられる指令により出力軸を逆回転させることにより、押圧伝達部３６が右方から見て時計回りに回転する。これにより、ストッパ伝達部２８は、押圧伝達部３６のカム部３６ｂによる押圧が解除されることで、ストッパ部材２０がストッパスプリング２７により入金路１１に進出移動する。その後、押圧伝達部３６の回転により、ストッパ部材２０が入金路１１から退行移動し、上記待機状態に戻る。
【００３８】
鑑別部５０は、上記傾斜路４０ａの途中に設けてある。この鑑別部５０は、入金部１０より１枚ずつ送出されて通過する紙幣の真偽及び金種を鑑別するものである。この鑑別部５０での鑑別結果は、制御部に鑑別信号として与えられる。
【００３９】
判別部５２は、鑑別部５０よりも後方側の搬送路４０の途中に設けてある。この判別部５２は、通過する紙幣の金種及び枚数を判別するものである。この判別部５２での判別結果は、制御部に判別信号として与えられる。
【００４０】
収納部６０は、装置本体１０の後方側における搬送路４０の下部において、金種毎に前後に並ぶよう設けてある。尚、最も前方の収納部６０は、判別部５２よりも前方側の搬送路４０の下部に設けてある。
【００４１】
図１８及び図１９は、前方側から２番目の収納部６０を示すものであり、図１８は縦断面図であり、図１９は横断面図である。これら図１８及び図１９に示すように、収納部６０は、収納壁部６１と、スライド部材６２と、スライド付勢部材６３とを備えて構成してある。
【００４２】
収納壁部６１は、収納部６０の後壁を構成するものである。この収納壁部６１にはキックローラ６４が設けてある。キックローラ６４は、２つ設けてあり、それぞれ左右方向に沿って延在する軸部材６４ａの中心軸回りに回転可能なものである。これらキックローラ６４は、モータ６５に連係してあり、モータ６５の駆動により右方から見て時計回り若しくは反時計回りに回転するものである。そして、キックローラ６４は、収納壁部６１の前面である収納面６１ａより外周面の一部が前方に突出している。
【００４３】
スライド部材６２は、後面である作用面６２ａが収納壁部６１の収納面６１ａに対向して配置してある。このようなスライド部材６２は、左右に設けられたガイドローラ６２ｂが、それぞれ左右一対となる態様で設けられたガイド部材６６のガイド孔６６ａに進入し、かつ下方に設けられたガイドローラ６２ｃが、図には明示しないが、底面ガイド孔に進入することで、収納壁部６１に近接離反する態様で前後方向にスライド移動可能なものである。かかるスライド部材６２は、収納壁部６１との間に紙幣を収納するための収納域６０ａを形成するものである。
【００４４】
スライド付勢部材６３は、いわゆるバネ部材により構成されており、前端部が収納部６０の前壁部６７に係止され、後端部がスライド部材６２の作用面６２ａの裏面に係止してある。このスライド付勢部材６３は、スライド部材６２を収納壁部６１に近接するよう後方側に向けて付勢するものである。ここで、スライド付勢部材６３は、キックローラ６４と同一の高さレベルに配置されており、収納面６１ａから突出するキックローラ６４の外周面の一部にスライド部材６２が介在した状態で対向配置されている。
【００４５】
ところで、図１８及び図１９中の符号７０は、振分ゲート（振分ゲート部材）である。振分ゲート７０は、最も後方の収納部６０以外の収納部６０の入口近傍に設けてある。この振分ゲート７０は、制御部からの指令により揺動するものであり、鑑別部５０での鑑別結果により、搬送される紙幣が該当する金種の場合は、上方に揺動して対応する収納部６０の入口を開放して紙幣が該入口を通過することを許容するものである。つまり、振分ゲート７０は、鑑別部５０での鑑別の結果、搬送される紙幣が該当する金種以外の場合、下方に揺動して対応する収納部６０の入口を閉塞して紙幣が該入口を通過することを規制するものである。また、振分ゲート７０は、該当する金種の紙幣を収納部６０から搬送路４０に繰り出す場合も上方に揺動して入口を開放する。
【００４６】
以上のような構成を有する収納部６０では、鑑別部５０での鑑別の結果、該当する金種の紙幣が搬送される場合、次のようにして当該紙幣を収納する。すなわち、図１８及び図１９に示すように、図示せぬソレノイド等のアクチュエータによりスライド部材６２をスライド付勢部材６３の付勢力に抗して前方に向けてスライド移動させる。つまり、スライド部材６２を収納壁部６１から離隔するようスライド移動させる。このようにスライド部材６２をスライド移動させた後、制御部から与えられる指令によりモータ６５が駆動してキックローラ６４が右方から見て反時計回りに回転する。
【００４７】
これにより、搬送路４０を通じて搬送された該当する金種の紙幣が入口を通過した後、収納域６０ａに進入して収納される。
【００４８】
このようにして該当する金種の紙幣の収納が終了した後、制御部から与えられる指令によりモータ６５が駆動停止することでキックローラ６４の回転が停止し、更にアクチュエータが駆動停止することで、収納部６０では、図２０に示すように、スライド部材６２がスライド付勢部材６３により後方に向けてスライド移動し、作用面６２ａが収納域６０ａの紙幣を収納壁部６１の収納面６１ａに押圧する。
【００４９】
そして、該当する金種の紙幣の出金指令が制御部から与えられた場合、収納部６０では、振分ゲート７０が上方に揺動した後にモータ６５が駆動してキックローラ６４が右方から見て時計回りに回転することで、収納域６０ａの紙幣を１枚ずつ搬送路４０に繰り出すことができる。
【００５０】
出金部８０は、図１等に示すように、装置本体１の前端部であって入金部１０の上方側に設けてある。この出金部８０は、収納部６０より搬送路４０に繰り出されて搬送され、判別部５２にて判別された後に、搬送路４０に連続する出金路４０ｂを通過した紙幣を受け入れて、図示せぬ出金口より外部に払い出すものである。
【００５１】
以上説明したように、入金部１０においては、入金路１１が入金口２から離隔するに連れて漸次下方に傾斜する態様で形成されているので、入金路１１の上下方向の長さを大きくしなくても延在長さを確保することができる。そして、待機状態では、ストッパ部材２０が入金路１１に進出移動して排出開口部２４，２５が入金路１１と排出路４とを連通するとともに、押圧部材３０が入金路１１から退行移動しているので、入金口２より硬貨等の異物が入金路１１に投入された場合に、該異物を排出開口部２４，２５から排出路４に落下させて排出することができる。これにより、上記入金部１０によれば、異物排出を可能にしつつ装置全体の小型化を図ることができる。
【００５２】
上記収納部６０においては、スライド付勢部材６３がキックローラ６４と同一の高さレベルに配置され、かつ収納面６１ａから突出するキックローラ６４の外周面の一部にスライド部材６２が介在した状態で対向配置されているので、スライド付勢部材６３の付勢力がキックローラ６４の中心軸を通過することとなり、スライド部材６２に回転力等を作用させることなくスライド付勢部材６３の付勢力をキックローラ６４に対して作用させることができる。しかも従来のパンタグラフ構造に対して部品点数を低減させることができる。これにより、上記収納部６０によれば、製造コストの低減化を図ることができる。
【００５３】
上記紙幣処理装置においては、鑑別部５０が傾斜路４０ａを通過する紙幣の真贋及び金種を鑑別するようにしているので、鑑別部５０により鑑別を行う領域と、最前の収納部６０に対応する振分ゲート７０との離間距離を十分に確保することができる。従って、上記紙幣処理装置によれば、装置全体の小型化を図ることができる。
【００５４】
特に、最前の収納部６０を判別部５２の前方側に配置したので、次のようにして該収納部６０に紙幣を収納することができる。すなわち、鑑別部５０で鑑別された収納対象金種の紙幣については、最前の振分ゲート７０を一旦下方に揺動させておいて後方に向けて通過させて判別部５２で判別させる。その後に該紙幣を前方に向けて搬送させるとともに最前の振分ゲート７０を上方に揺動させることで、収納部６０に紙幣を収納させることができる。
【００５５】
これによれば、鑑別部５０と最前の振分ゲート７０との間での搬送距離を十分に確保することができ、装置全体の小型化を更に図ることができる。
【００５６】
以上、本発明の好適な実施の形態について説明したが、本発明はこれに限定されるものではなく、種々の変更を行うことができる。
【００５７】
上述した実施の形態の入金部１０では、待機状態の場合に、ストッパ部材２０が入金路１１に進出移動しつつ押圧部材３０が入金路１１から退行移動していたが、本発明においては、待機状態の場合に、ストッパ部材だけでなく押圧部材も入金路に進出移動していてもよい。この場合には、その後に押圧部材だけを入金路から退行移動させることにより異物を排出することができる。
【００５８】
上述した実施の形態の収納部６０では、スライド付勢部材６３がキックローラ６４と同一の高さレベルに配置され、かつ収納面６１ａから突出するキックローラ６４の外周面の一部にスライド部材６２が介在した状態で対向配置されていたが、本発明においては、キックローラと同一の高さレベルであって、自身の付勢力がキックローラの軸心を通過する態様で設けられているのであれば、付勢手段の数やキックローラの数等は特に限定されるものではない。
【符号の説明】
【００５９】
１  装置本体
２  入金口
４  排出路
１０  入金部（入金構造）
１１  入金路
２０  ストッパ部材
２１  ストッパ基部
２２  ストッパ片
２４  開口部分
２５  開放部分
２６  ストッパ軸部
２７  ストッパスプリング
２８  ストッパ伝達部
３０  押圧部材
３１  押圧基部
３２  押圧端部
３３  押圧軸部
３４  固定部
３５  押圧スプリング
３６  押圧伝達部
４０  搬送路
４０ａ  傾斜路
５０  鑑別部（鑑別手段）
５２  判別部
６０  収納部（収納構造）
６１  収納壁部
６２  スライド部材
６３  スライド付勢部材
６４  キックローラ
７０  振分ゲート
８０  出金部
【図１】
2017102683.tif 000003
【図２】
2017102683.tif 000004
【図３】
2017102683.tif 000005
【図４】
2017102683.tif 000006
【図５】
2017102683.tif 000007
【図６】
2017102683.tif 000008
【図７】
2017102683.tif 000009
【図８】
2017102683.tif 000010
【図９】
2017102683.tif 000011
【図１０】
2017102683.tif 000012
【図１１】
2017102683.tif 000013
【図１２】
2017102683.tif 000014
【図１３】
2017102683.tif 000015
【図１４】
2017102683.tif 000016
【図１５】
2017102683.tif 000017
【図１６】
2017102683.tif 000018
【図１７】
2017102683.tif 000019
【図１８】
2017102683.tif 000020
【図１９】
2017102683.tif 000021
【図２０】
2017102683.tif 000022